(57)【特許請求の範囲】
【請求項１】
複数の電力供給モードを切り替え可能な電気機器であって、
前記複数の電力供給モードには、当該電気機器の各部に対して電力を供給する通常電力モードと、前記通常電力モードに比して電力の供給量を削減する第１省電力モードと、前記第１省電力モードに比して電力の供給量を削減する第２省電力モードと、が含まれ、
前記通常電力モードと、前記第１省電力モードと、前記第２省電力モードと、の間で前記電力供給モードを切り替える電力供給制御部と、
当該電気機器が前記通常電力モードに設定されている状態で、当該電気機器に対して行われた操作に基づく当該電気機器の動作の実行が終了した時点で時間の計測動作を開始する時間計測部と、
当該電気機器に対する操作の指示を受け付ける操作指示受付部と、
当該電気機器が前記通常電力モードに設定されている状態において、前記操作指示受付部によって当該電気機器に対する操作の指示が受け付けられることがないまま前記時間計測部による計測時間が予め設定された第１の待機時間に達すると、前記電力供給制御部に前記第１省電力モードへの切り替えを指示し、当該電気機器が前記第１省電力モードに設定されている状態において、前記操作指示受付部によって当該電気機器に対する操作の指示が受け付けられることがないまま前記時間計測部による計測時間が予め設定された第２の待機時間に達すると、前記電力供給制御部に前記第２省電力モードへの切り替えを指示し、当該電気機器が前記第１省電力モード或いは前記第２省電力モードに設定されている状態で、前記操作指示受付部によって当該電気機器に対する操作の指示が受け付けられると、前記電力供給制御部に前記第１省電力モード或いは前記第２省電力モードから前記通常電力モードへの切り替えを指示する切替制御部と、
を備え、
前記切替制御部は、さらに、当該電気機器が前記第２省電力モードに設定された後に前記電力供給制御部に前記通常電力モードへの切り替えを指示したことが、当該電気機器が前記第２省電力モード及び前記通常電力モードとは他の前記電力供給モードに設定された後に前記電力供給制御部に前記通常電力モードへの切り替えを指示したことよりも多い傾向を示す利用条件を満たす場合に、当該電気機器が前記通常電力モードに設定されている状態において、前記操作指示受付部によって当該電気機器に対する操作の指示が受け付けられることがないまま前記時間計測部による計測時間が前記第１の待機時間に達すると、前記電力供給制御部に前記第１省電力モードへの切り替えを指示することに換えて、前記操作指示受付部によって当該電気機器に対する操作の指示が受け付けられることがないまま前記時間計測部による計測時間が前記第１の待機時間に達してから前記第２の待機時間に達するまでの期間中に供給可能な電力の総供給量が、同期間中に前記第１省電力モードにおいて供給可能な電力の総供給量よりも少ない前記電力供給モードである第３省電力モードへの切り替えを前記電力供給制御部に指示する電気機器。
【請求項２】
前記利用条件は、前記切替制御部が前記電力供給制御部に前記第２省電力モードから前記通常電力モードへの切り替えを指示した累計頻度が、前記切替制御部が前記電力供給制御部に前記第１省電力モード或いは前記第３省電力モードから前記通常電力モードへの切り替えを指示した累計頻度よりも高いかである請求項１記載の電気機器。
【請求項３】
前記利用条件は、前記切替制御部が前記電力供給制御部に前記第２省電力モードから前記通常電力モードへの切り替えを指示した場合における当該電気機器が前記第２省電力モードに切り替えられた時点から前記通常電力モードに切り替えられるまでの経過時間の平均値が、前記切替制御部が前記電力供給制御部に前記第１省電力モード或いは前記第３省電力モードから前記通常電力モードへの切り替えを指示した場合における当該電気機器が前記第１省電力モード或いは前記第３省電力モードに切り替えられた時点から前記通常電力モードに切り替えられるまでの経過時間の平均値よりも大きいかである請求項１記載の電気機器。
【請求項４】
前記電力供給制御部は、前記切替制御部から前記第３省電力モードへの切り替えを指示されると、前記操作指示受付部によって当該電気機器に対する操作の指示が受け付けられることがないまま前記時間計測部による計測時間が前記第２の待機時間に達するまでの全ての期間、前記第１省電力モードにおける電力の供給量未満であって前記第２省電力モードにおける電力の供給量よりも多い予め設定された一定の供給量で当該電気機器の各部に対して電力を供給する請求項１から３の何れかに記載の電気機器。
【請求項５】
前記電力供給制御部は、前記切替制御部から前記第３省電力モードへの切り替えを指示されると、前記操作指示受付部によって当該電気機器に対する操作の指示が受け付けられることがないまま前記時間計測部による計測時間が前記第２の待機時間に達するまでの全ての期間のうち、前半の期間を前記第１省電力モードにおける電力の供給量と等しい供給量で、且つ、後半の期間を前記第２省電力モードにおける電力の供給量と等しい供給量で、当該電気機器の各部に対して電力を供給する請求項１から３の何れかに記載の電気機器。
【請求項６】
前記電力供給制御部は、前記切替制御部から前記第３省電力モードへの切り替えを指示されると、前記操作指示受付部によって当該電気機器に対する操作の指示が受け付けられることがないまま前記時間計測部による計測時間が前記第２の待機時間に達するまでの期間を予め定められた数の期間に分割して、当該分割した期間が経過する毎に減少するように予め設定された、前記第１省電力モードにおける電力の供給量以下であって前記第２省電力モードにおける電力の供給量以上である供給量で、当該電気機器の各部に対して電力を供給する請求項１から３の何れかに記載の電気機器。
【請求項７】
前記切替制御部は、当該電気機器が前記第２省電力モードに設定されている状態で、前記操作指示受付部によって当該電気機器に対する操作の指示が受け付けられると、前記電力供給制御部に、前記第２省電力モードから前記通常電力モードへの切り替えに換えて前記第２省電力モードから前記第１消電力モードへの切り換えを指示し、
前記時間計測部は、前記切替制御部による当該指示により当該電気機器が前記第１消電力モードに設定された時点で時間の計測動作を開始し、
前記切替制御部は、さらに、当該指示により当該電気機器が前記第１省電力モードに設定されている状態で、前記操作指示受付部によって当該電気機器に対する操作の指示が受け付けられることがないまま前記時間計測部による計測時間が予め設定された待機時間に達すると、前記第２省電力モードへの切り替えを指示し、前記操作指示受付部によって当該電気機器に対する操作の指示が受け付けられると、前記電力供給制御部に前記通常電力
モードへの切り替えを指示する請求項１から６の何れかに記載の電気機器。
【請求項８】
前記切替制御部は、予め設定された時間帯毎に予め設定された、前記第１及び前記第２の待機時間並びに前記利用条件に応じて、前記電力供給制御部に前記電力供給モードの切り替えを指示する請求項１から７の何れかに記載の電気機器。
【請求項９】
複数の電力供給モードを切り替え可能な電気機器であって、前記複数の電力供給モードには、当該電気機器の各部に対して電力を供給する通常電力モードと、前記通常電力モードに比して電力の供給量を削減する第１省電力モードと、前記第１省電力モードに比して電力の供給量を削減する第２省電力モードと、が含まれ、前記通常電力モードと、前記第１省電力モードと、前記第２省電力モードと、の間で前記電力供給モードを切り替える電力供給制御部と、当該電気機器に対する操作の指示を受け付ける操作指示受付部と、を備えた電気機器における電力供給制御方法であって、
前記電気機器が前記通常電力モードに設定されている状態で、前記電気機器に対して行われた操作に基づく前記電気機器の動作の実行が終了した時点で時間の計測動作を開始する時間計測ステップと、
前記電気機器が前記通常電力モードに設定されている状態において、前記操作指示受付部によって前記電気機器に対する操作の指示が受け付けられることがないまま前記時間計測ステップによる計測時間が予め設定された第１の待機時間に達すると、前記電力供給制御部に前記第１省電力モードへの切り替えを指示し、前記電気機器が前記第１省電力モードに設定されている状態において、前記操作指示受付部によって前記電気機器に対する操作の指示が受け付けられることがないまま前記時間計測ステップによる計測時間が予め設定された第２の待機時間に達すると、前記電力供給制御部に前記第２省電力モードへの切り替えを指示し、前記電気機器が前記第１省電力モード或いは前記第２省電力モードに設定されている状態で、前記操作指示受付部によって前記電気機器に対する操作の指示が受け付けられると、前記電力供給制御部に前記第１省電力モード或いは前記第２省電力モードから前記通常電力モードへの切り替えを指示する切替制御ステップと、
を実行し、
前記切替制御ステップでは、さらに、前記電気機器が前記第２省電力モードに設定された後に前記電力供給制御部に前記通常電力モードへの切り替えを指示したことが、前記電気機器が前記第２省電力モード及び前記通常電力モードとは他の前記電力供給モードに設定された後に前記電力供給制御部に前記通常電力モードへの切り替えを指示したことよりも多い傾向を示す利用条件を満たす場合に、前記電気機器が前記通常電力モードに設定されている状態において、前記操作指示受付部によって前記電気機器に対する操作の指示が受け付けられることがないまま前記時間計測ステップによる計測時間が前記第１の待機時間に達すると、前記電力供給制御部に前記第１省電力モードへの切り替えを指示することに換えて、前記操作指示受付部によって前記電気機器に対する操作の指示が受け付けられることがないまま前記時間計測ステップによる計測時間が前記第１の待機時間に達してから前記第２の待機時間に達するまでの期間中に供給可能な電力の総供給量が、同期間中に前記第１省電力モードにおいて供給可能な電力の総供給量よりも少ない前記電力供給モードである第３省電力モードへの切り替えを前記電力供給制御部に指示する電力供給制御方法。
【発明の詳細な説明】
【技術分野】
【０００１】
本発明は、記録媒体に画像を形成する画像形成装置やパーソナルコンピュータ等の電気機器の技術分野に属し、特に、電気機器の各部に対して電力を供給する通常電力モードと、前記通常電力モードに比して電力の供給量を削減する省電力モードとを備えた電気機器において、各電力モードを切り替える技術に関する。
【背景技術】
【０００２】
複写機やファクシミリ等の記録媒体に画像を形成する画像形成装置や、パーソナルコンピュータ等の電気機器における省電力化の技術として、当該電気機器の各部に対して電力を供給する通常電力モードの他に、前記各部に対して供給する電力の供給量を削減する省電力モードを設け、所定時間、電気機器に対して何ら操作されなかった場合や、省電力モードに切り替える指示が電気機器に入力操作された場合等に、電気機器の電力供給モードを通常電力モードから省電力モードに切り替える技術が広く採用されている。
【０００３】
例えば、下記特許文献１には、画像形成装置における非プリント時の定着温度（スタンバイ状態）を記憶する記憶手段を有し、非プリント時の経過時間が長くなるにつれて、画像形成可能な定着温度に至るまでの所要時間は長いが消費電力を抑えることができるスタンバイ状態が当該記憶手段から順次選択される技術が記載されている。
【先行技術文献】
【特許文献】
【０００４】
【特許文献１】特開２０００−２２７７３９号公報
【発明の概要】
【発明が解決しようとする課題】
【０００５】
例えば、長期間毎に僅か数枚分のコピーを行う等、画像形成装置に備えられたプリント機能の実行をあまり利用しないユーザにとっては、定着温度をある程度維持しておく利点は少ないと考えられ、頻度が少ないプリント機能の利用時に定着温度を高めるために比較的時間がかかるとしても、定着温度の維持にかかる電力の供給を削減して、消費電力を削減することによる利点が高いと考えられる。
【０００６】
しかしながら、上記特許文献１では、非プリント時の経過時間に応じたスタンバイ状態が当該記憶手段から順次選択されるため、画像形成装置を短期間だけ利用した後に画像形成装置を長期間利用しないことが繰り返される場合であっても、当該長期間が経過するまでに順次選択されるスタンバイ状態により少なからず電力が消費されていた。つまり、電気機器における消費電力を削減する上で改善の余地があった。
【０００７】
本発明は、上述した問題点を解決するためになされたものであり、使用状況に応じて更なる省電力化を図ることができる電気機器及び電力供給制御方法を提供することを目的とする。
【課題を解決するための手段】
【０００８】
請求項１に記載の発明は、複数の電力供給モードを切り替え可能な電気機器であって、
前記複数の電力供給モードには、当該電気機器の各部に対して電力を供給する通常電力モードと、前記通常電力モードに比して電力の供給量を削減する第１省電力モードと、前記第１省電力モードに比して電力の供給量を削減する第２省電力モードと、が含まれ、
前記通常電力モードと、前記第１省電力モードと、前記第２省電力モードと、の間で前記電力供給モードを切り替える電力供給制御部と、
当該電気機器が前記通常電力モードに設定されている状態で、当該電気機器に対して行われた操作に基づく当該電気機器の動作の実行が終了した時点で時間の計測動作を開始する時間計測部と、
当該電気機器に対する操作の指示を受け付ける操作指示受付部と、
当該電気機器が前記通常電力モードに設定されている状態において、前記操作指示受付部によって当該電気機器に対する操作の指示が受け付けられることがないまま前記時間計測部による計測時間が予め設定された第１の待機時間に達すると、前記電力供給制御部に前記第１省電力モードへの切り替えを指示し、当該電気機器が前記第１省電力モードに設定されている状態において、前記操作指示受付部によって当該電気機器に対する操作の指示が受け付けられることがないまま前記時間計測部による計測時間が予め設定された第２の待機時間に達すると、前記電力供給制御部に前記第２省電力モードへの切り替えを指示し、当該電気機器が前記第１省電力モード或いは前記第２省電力モードに設定されている状態で、前記操作指示受付部によって当該電気機器に対する操作の指示が受け付けられると、前記電力供給制御部に前記第１省電力モード或いは前記第２省電力モードから前記通常電力モードへの切り替えを指示する切替制御部と、
を備え、
前記切替制御部は、さらに、当該電気機器が前記第２省電力モードに設定された後に前記電力供給制御部に前記通常電力モードへの切り替えを指示したことが、当該電気機器が前記第２省電力モード及び前記通常電力モードとは他の前記電力供給モードに設定された後に前記電力供給制御部に前記通常電力モードへの切り替えを指示したことよりも多い傾向を示す利用条件を満たす場合に、当該電気機器が前記通常電力モードに設定されている状態において、前記操作指示受付部によって当該電気機器に対する操作の指示が受け付けられることがないまま前記時間計測部による計測時間が前記第１の待機時間に達すると、前記電力供給制御部に前記第１省電力モードへの切り替えを指示することに換えて、前記操作指示受付部によって当該電気機器に対する操作の指示が受け付けられることがないまま前記時間計測部による計測時間が前記第１の待機時間に達してから前記第２の待機時間に達するまでの期間中に供給可能な電力の総供給量が、同期間中に前記第１省電力モードにおいて供給可能な電力の総供給量よりも少ない前記電力供給モードである第３省電力モードへの切り替えを前記電力供給制御部に指示する電気機器である。
【０００９】
また、請求項９に記載の発明は、複数の電力供給モードを切り替え可能な電気機器であって、前記複数の電力供給モードには、当該電気機器の各部に対して電力を供給する通常電力モードと、前記通常電力モードに比して電力の供給量を削減する第１省電力モードと、前記第１省電力モードに比して電力の供給量を削減する第２省電力モードと、が含まれ、前記通常電力モードと、前記第１省電力モードと、前記第２省電力モードと、の間で前記電力供給モードを切り替える電力供給制御部と、当該電気機器に対する操作の指示を受け付ける操作指示受付部と、を備えた電気機器における電力供給制御方法であって、
前記電気機器が前記通常電力モードに設定されている状態で、前記電気機器に対して行われた操作に基づく前記電気機器の動作の実行が終了した時点で時間の計測動作を開始する時間計測ステップと、
前記電気機器が前記通常電力モードに設定されている状態において、前記操作指示受付部によって前記電気機器に対する操作の指示が受け付けられることがないまま前記時間計測ステップによる計測時間が予め設定された第１の待機時間に達すると、前記電力供給制御部に前記第１省電力モードへの切り替えを指示し、前記電気機器が前記第１省電力モードに設定されている状態において、前記操作指示受付部によって前記電気機器に対する操作の指示が受け付けられることがないまま前記時間計測ステップによる計測時間が予め設定された第２の待機時間に達すると、前記電力供給制御部に前記第２省電力モードへの切り替えを指示し、前記電気機器が前記第１省電力モード或いは前記第２省電力モードに設定されている状態で、前記操作指示受付部によって前記電気機器に対する操作の指示が受け付けられると、前記電力供給制御部に前記第１省電力モード或いは前記第２省電力モードから前記通常電力モードへの切り替えを指示する切替制御ステップと、
を実行し、
前記切替制御ステップでは、さらに、前記電気機器が前記第２省電力モードに設定された後に前記電力供給制御部に前記通常電力モードへの切り替えを指示したことが、前記電気機器が前記第２省電力モード及び前記通常電力モードとは他の前記電力供給モードに設定された後に前記電力供給制御部に前記通常電力モードへの切り替えを指示したことよりも多い傾向を示す利用条件を満たす場合に、前記電気機器が前記通常電力モードに設定されている状態において、前記操作指示受付部によって前記電気機器に対する操作の指示が受け付けられることがないまま前記時間計測ステップによる計測時間が前記第１の待機時間に達すると、前記電力供給制御部に前記第１省電力モードへの切り替えを指示することに換えて、前記操作指示受付部によって前記電気機器に対する操作の指示が受け付けられることがないまま前記時間計測ステップによる計測時間が前記第１の待機時間に達してから前記第２の待機時間に達するまでの期間中に供給可能な電力の総供給量が、同期間中に前記第１省電力モードにおいて供給可能な電力の総供給量よりも少ない前記電力供給モードである第３省電力モードへの切り替えを前記電力供給制御部に指示する電力供給制御方法である。
【００１０】
これらの発明では、切替制御部（切替制御ステップ）により、当該電気機器が第２省電力モードに設定された後に電力供給制御部に通常電力モードへの切り替えを指示したことが、当該電気機器が第２省電力モード及び通常電力モードとは他の電力供給モードに設定された後に電力供給制御部に通常電力モードへの切り替えを指示したことよりも多い傾向を示す条件を満たすか否かが判断される。
【００１１】
そして、当該電気機器が第２省電力モードに設定された後に電力供給制御部に通常電力モードへの切り替えを指示したことが、当該電気機器が第２省電力モード及び通常電力モードとは他の電力供給モードに設定された後に電力供給制御部に通常電力モードへの切り替えを指示したことよりも多い傾向にあると判断されるような状況では、切替制御部（切替制御ステップ）により、通常電力モードから第１省電力モードへの切り替えに換えて、操作指示受付部によって電気機器に対する操作の指示が受け付けられることがないまま時間計測部（時間計測ステップ）による計測時間が第１の待機時間に達してから第２の待機時間に達するまでの期間中に供給可能な電力の総供給量が、同期間中に第１省電力モードにおいて供給可能な電力の総供給量よりも少ない電力供給モードである第３省電力モードへ切り替えるように制御される。
【００１２】
つまり、当該電気機器が第２省電力モードに設定された後に電力供給制御部に通常電力モードへの切り替えを指示したことが、当該電気機器が第２省電力モード及び通常電力モードとは他の電力供給モードに設定された後に電力供給制御部に通常電力モードへの切り替えを指示したことよりも多い傾向にある場合には、予め定められた第２の待機時間に達するまでの期間、当該電気機器を第１省電力モードに設定しておく必要性が低いと考えられるので、当該期間中、当該電気機器を第３省電力モードへ切り替えることにより、当該期間中に当該電気機器が第１省電力モードに切り替えられる場合に比して当該電気機器の各部に供給される電力を削減することができる。
【００１７】
また、請求項２に記載の発明は、請求項１に記載の電気機器であって、前記利用条件は、前記切替制御部が前記電力供給制御部に前記第２省電力モードから前記通常電力モードへの切り替えを指示した累計頻度が、前記切替制御部が前記電力供給制御部に前記第１省電力モード或いは前記第３省電力モードから前記通常電力モードへの切り替えを指示した累計頻度よりも高いかである。
【００１８】
この発明では、電力供給制御部に第２省電力モードから通常電力モードへの切り替えが指示された累計頻度が、電力供給制御部に第１省電力モード或いは第３省電力モードから通常電力モードへの切り替えが指示された累計頻度よりも高い場合に、切替制御部により、通常電力モードから第１省電力モードへの切り替えに換えて、通常電力モードから第３省電力モードへ切り替えるように制御される。
【００１９】
つまり、過去に電気機器を利用した際の累計頻度に基づいて、第２省電力モードから通常電力モードへの切り替えが指示された累計頻度が第１省電力モード或いは第３省電力モードから通常電力モードへの切り替えが指示された累計頻度よりも高いことにより、当該電気機器が第２省電力モードに設定された後に利用される傾向にあることを判断することができる。
【００２０】
そして、このような判断がされた場合は、予め設定された待機時間に達するまでの期間、当該電気機器を第１省電力モードに設定しておく必要性が低いと考えられるので、当該期間中、当該電気機器を第３省電力モードへ切り替えることにより、当該期間中に当該電気機器が第１省電力モードに切り替えられる場合に比して当該電気機器の各部に供給される電力を削減することができる。
【００２１】
また、請求項３に記載の発明は、請求項１に記載の電気機器であって、前記利用条件は、前記切替制御部が前記電力供給制御部に前記第２省電力モードから前記通常電力モードへの切り替えを指示した場合における当該電気機器が前記第２省電力モードに切り替えられた時点から前記通常電力モードに切り替えられるまでの経過時間の平均値が、前記切替制御部が前記電力供給制御部に前記第１省電力モード或いは前記第３省電力モードから前記通常電力モードへの切り替えを指示した場合における当該電気機器が前記第１省電力モード或いは前記第３省電力モードに切り替えられた時点から前記通常電力モードに切り替えられるまでの経過時間の平均値よりも大きいかである。
【００２２】
この発明では、当該電気機器が第２省電力モードに切り替えられた時点から通常電力モードに切り替えられるまでの経過時間の平均値が、当該電気機器が第１省電力モード或いは第３省電力モードに切り替えられた時点から通常電力モードに切り替えられるまでの経過時間の平均値よりも大きい場合に、切替制御部により、通常電力モードから第１省電力モードへの切り替えに換えて、通常電力モードから第３省電力モードへ切り替えるように制御される。
【００２３】
つまり、過去に電気機器を利用した際の第１省電力モード、第２省電力モード、及び第３省電力モードに切り替えられた時点から通常電力モードに切り替えられるまでの経過時間の平均値に基づいて、当該電気機器が第２省電力モードに設定されていた期間の平均値が、当該電気機器が第１省電力モード或いは第３省電力モードに設定されていた期間の平均値よりも長いことにより、当該電気機器が第２省電力モードに設定された後に利用される傾向にあることを判断することができる。
【００２４】
そして、このような判断がされた場合は、予め設定された待機時間に達するまでの期間、当該電気機器を第１省電力モードに設定しておく必要性が低いと考えられるので、当該期間中、当該電気機器を第３省電力モードへ切り替えることにより、当該期間中に当該電気機器が第１省電力モードに切り替えられる場合に比して当該電気機器の各部に供給される電力を削減することができる。
【００２５】
また、請求項４に記載の発明は、請求項１から３の何れかに記載の電気機器であって、前記電力供給制御部は、前記切替制御部から前記第３省電力モードへの切り替えを指示されると、前記操作指示受付部によって当該電気機器に対する操作の指示が受け付けられることがないまま前記時間計測部による計測時間が前記第２の待機時間に達するまでの全ての期間、前記第１省電力モードにおける電力の供給量未満であって前記第２省電力モードにおける電力の供給量よりも多い予め設定された一定の供給量で当該電気機器の各部に対して電力を供給する。
【００２６】
この発明では、電気機器が第３省電力モードに切り替えられると、操作指示受付部によって当該電気機器に対する操作の指示が受け付けられることがないまま時間計測部による計測時間が第２の待機時間に達するまでの全ての期間、第１省電力モードにおける電力の供給量未満であって第２省電力モードにおける電力の供給量よりも多い予め設定された一定の供給量で当該電気機器の各部に対して電力が供給されるので、当該全ての期間第１省電力モードに切り替えられる場合に比して、当該電気機器の各部に対して供給される電力を削減することができる。
【００２７】
また、請求項５に記載の発明は、請求項１から３の何れかに記載の電気機器であって、前記電力供給制御部は、前記切替制御部から前記第３省電力モードへの切り替えを指示されると、前記操作指示受付部によって当該電気機器に対する操作の指示が受け付けられることがないまま前記時間計測部による計測時間が前記第２の待機時間に達するまでの全ての期間のうち、前半の期間を前記第１省電力モードにおける電力の供給量と等しい供給量で、且つ、後半の期間を前記第２省電力モードにおける電力の供給量と等しい供給量で、当該電気機器の各部に対して電力を供給する。
【００２８】
この発明では、電気機器が第３省電力モードに切り替えられると、操作指示受付部によって当該電気機器に対する操作の指示が受け付けられることがないまま時間計測部による計測時間が第２の待機時間に達するまでの全ての期間のうち、前半の期間を第１省電力モードにおける電力の供給量と等しい供給量で、且つ、後半の期間を第２省電力モードにおける電力の供給量と等しい供給量で、当該電気機器の各部に対して電力が供給されるので、当該全ての期間第１省電力モードに切り替えられる場合に比して、当該電気機器の各部に対して供給される電力を削減することができる。
【００２９】
また、請求項６に記載の発明は、請求項１から３の何れかに記載の電気機器であって、前記電力供給制御部は、前記切替制御部から前記第３省電力モードへの切り替えを指示されると、前記操作指示受付部によって当該電気機器に対する操作の指示が受け付けられることがないまま前記時間計測部による計測時間が前記第２の待機時間に達するまでの期間を予め定められた数の期間に分割して、当該分割した期間が経過する毎に減少するように予め設定された、前記第１省電力モードにおける電力の供給量以下であって前記第２省電力モードにおける電力の供給量以上である供給量で、当該電気機器の各部に対して電力を供給する。
【００３０】
この発明では、電気機器が第３省電力モードに切り替えられると、操作指示受付部によって当該電気機器に対する操作の指示が受け付けられることがないまま時間計測部による計測時間が第２の待機時間に達するまでの期間を予め定められた数の期間に分割して、当該分割した期間が経過する毎に減少するように予め設定された、第１省電力モードにおける電力の供給量以下であって第２省電力モードにおける電力の供給量以上である供給量で、当該電気機器の各部に対して電力が供給されるので、当該期間中、全て第１省電力モードに切り替えられる場合に比して、当該電気機器の各部に対して供給される電力を時間の経過に応じて段階的に削減することができる。
【００３１】
また、請求項７に記載の発明は、請求項１から６の何れかに記載の電気機器であって、
前記切替制御部は、当該電気機器が前記第２省電力モードに設定されている状態で、前記操作指示受付部によって当該電気機器に対する操作の指示が受け付けられると、前記電力供給制御部に、前記第２省電力モードから前記通常電力モードへの切り替えに換えて前記第２省電力モードから前記第１消電力モードへの切り換えを指示し、
前記時間計測部は、前記切替制御部による当該指示により当該電気機器が前記第１消電力モードに設定された時点で時間の計測動作を開始し、
前記切替制御部は、さらに、当該指示により当該電気機器が前記第１省電力モードに設定されている状態で、前記操作指示受付部によって当該電気機器に対する操作の指示が受け付けられることがないまま前記時間計測部による計測時間が予め設定された待機時間に達すると、前記第２省電力モードへの切り替えを指示し、前記操作指示受付部によって当該電気機器に対する操作の指示が受け付けられると、前記電力供給制御部に前記通常電力モードへの切り替えを指示する。
【００３２】
従来、電気機器が第２省電力モードに設定されている状態で、例えば、電気機器の近辺を通りすぎる際に電気機器に衝突して何らかの操作をしてしまった場合等、電気機器が誤って操作された場合、電気機器は通常電力モードに切り替えられ、待機時間が経過するまで通常電力モードによって各部に電力が供給されていた。
【００３３】
しかしながら、この発明では、電気機器が第２省電力モードに設定されている状態で電気機器が誤って操作された場合は、切替制御部により、電気機器が第１省電力モードに切り替えられ、時間計測部により、当該第１省電力モードに切り替えられた時点から時間の計測動作が開始される。
【００３４】
さらに、当該切り替え指示により電気機器が第１省電力モードに設定されている状態で、当該電気機器に対する操作の指示が受け付けられることがないまま時間計測部による計測時間が予め設定された待機時間に達すると、切替制御部により、第２省電力モードへの切り替えが指示される。
【００３５】
このため、上記のように、電気機器が第２省電力モードに設定されている状態で、電気機器が誤って操作されたとしても、電気機器は第１省電力モードに切り替えられ、待機時間が経過するまで第１省電力モードによって各部に電力が供給されるので、上記のように電気機器が誤って操作された場合に通常電力モードに切り替えられる場合に比して、電力の供給量を削減することができる。
【００３６】
また、請求項８に記載の発明は、請求項１から７の何れかに記載の電気機器であって、前記切替制御部は、予め設定された時間帯毎に予め設定された、前記第１及び前記第２の待機時間並びに前記利用条件に応じて、前記電力供給制御部に前記電力供給モードの切り替えを指示する。
【００３７】
この発明では、例えば、深夜や早朝といった電気機器を利用する頻度が少ないような場合には、当該時間帯における第１及び第２の待機時間を予め小さく設定する、或いは、前記利用条件を緩和する等して、切替制御部により、電力供給制御部に第３省電力モードへの切り替え指示が頻度高く行われるようにし、昼間や夕方といった電気機器を利用する頻度が高いような場合には、当該時間帯における第１及び第２の待機時間を予め大きく設定する、或いは、前記利用条件を強化する等して、電力供給制御部に第３省電力モードへの切り替え指示が頻度高く行われないようにすることができる。このため、時間帯毎の電気機器の使用状況に応じて柔軟に電力の供給量を削減することができる。
【発明の効果】
【００３８】
本発明によれば、使用状況に応じて更なる省電力化を図ることができる電気機器及び電力供給制御方法を提供することが可能になる。
【図面の簡単な説明】
【００３９】
【図１】本発明に係る電気機器の一例としての複合機の断面図。
【図２】ユーザインタフェース部の正面図。
【図３】複合機の電気的な構成を示すブロック図。
【図４】各電力供給モードにおける消費電力の推移の第一例を示す説明図。
【図５】電力供給モードの切り替え制御の動作の第一例を示すフローチャート。
【図６】電力供給モードの切り替え制御の動作の第二例を示すフローチャート。
【図７】電力供給モードの切り替え制御の動作の第三例を示すフローチャート。
【図８】各電力供給モードにおける消費電力の推移の第二例を示す説明図。
【図９】各電力供給モードにおける消費電力の推移の第三例を示す説明図。
【発明を実施するための形態】
【００４０】
以下、本発明に係る電気機器の実施形態を図面を用いて説明する。尚、以下の実施形態では、本発明に係る電気機器の一例として、カラーコピー、スキャナ、ファクシミリ、プリンタ等の機能を備えた画像形成装置である複合機に集約した形態を説明する。図１は、この複合機の断面図である。
【００４１】
複合機１は、画像読取部２と、装置本体３と、装置本体３の左方に配設されたスタックトレイ６と、を備えている。
【００４２】
画像読取部２は、原稿給紙部２１と、スキャナ部２２と、ＣＩＳ２３１と、ユーザインタフェース部５と、を備えている。
【００４３】
原稿給紙部２１は、ＡＤＦ（Automatic Document Feeder）を備え、原稿トレイ２１１、ピックアップローラ２１２、プラテン２１３、排紙ローラ２１４及び排紙トレイ２１５を有する。
【００４４】
原稿トレイ２１１には、読取対象とされる原稿が載置される。原稿トレイ２１１に載置された原稿は、１枚ずつピックアップローラ２１２によって取り込まれ、間隙を介して順次プラテン２１３へ搬送される。プラテン２１３を経由した原稿は、排紙ローラ２１４によって排紙トレイ２１５へ順次排出される。
【００４５】
プラテン２１３の周面に対向する位置のうち、原稿の搬送方向において読取位置Ｐより手前の予め定められた位置には、用紙を検出する図略のタイミングセンサが設置されており、当該タイミングセンサの出力信号に基づき、読取位置Ｐへの原稿の搬送タイミングが図られる。当該タイミングセンサは、例えば、フォトインタラプタにより構成される。
【００４６】
スキャナ部２２は、原稿の画像を光学的に読み取って画像データを生成するものである。スキャナ部２２は、ガラス２２１、光源２２２、第１ミラー２２３、第２ミラー２２４、第３ミラー２２５、第１キャリッジ２２６、第２キャリッジ２２７、結像レンズ２２８、ＣＣＤ（Charge Coupled Device）２２９を備え、光源２２２及び第１ミラー２２３は、第１キャリッジ２２６によって支持され、第２ミラー２２４及び第３ミラー２２５は第２キャリッジ２２７によって支持されている。
【００４７】
光源２２２には冷陰極蛍光管等の白色蛍光ランプが用いられ、スキャナ部２２は、第１ミラー２２３、第２ミラー２２４、第３ミラー２２５、第１キャリッジ２２６、第２キャリッジ２２７及び結像レンズ２２８により、原稿からの光をＣＣＤ２２９に導くように構成されている。
【００４８】
画像読取部２の原稿読取方式には、ガラス２２１上に載置された原稿をスキャナ部２２が読み取るフラットベッド読取モードと、原稿を原稿給紙部２１（ＡＤＦ）によって取り込み、その搬送途中で原稿を読み取るＡＤＦ読取モードがある。
【００４９】
フラットベッド読取モードでは、光源２２２がガラス２２１上に載置された原稿を照射し、主走査方向１ライン分の反射光が第１ミラー２２３、第２ミラー２２４、第３ミラー２２５の順に反射して、結像レンズ２２８に入射する。結像レンズ２２８に入射した光はＣＣＤ２２９の受光面で結像される。
【００５０】
ＣＣＤ２２９は一次元のイメージセンサであり、１ライン分の原稿の画像データを同時に処理する。第１キャリッジ２２６及び第２キャリッジ２２７は、主走査方向と直交する方向（副走査方向、矢印Ｙ方向）に移動可能に構成されており、１ライン分の読み取りが終了すると、副走査方向に第１キャリッジ２２６及び第２キャリッジ２２７が移動し、次のラインの読み取りが行われる。
【００５１】
ＡＤＦ読取モードでは、原稿給紙部２１が原稿トレイ２１１に載置された原稿をピックアップローラ２１２によって１枚ずつ取り込む。このとき、第１キャリッジ２２６及び第２キャリッジ２２７は、読取窓２３０の下方に位置する予め定められた読取位置Ｐに配置される。
【００５２】
原稿給紙部２１による原稿搬送で、原稿がプラテン２１３から排紙トレイ２１５への搬送経路に設けられた読取窓２３０上を通過するとき、光源２２２が原稿を照射し、主走査１ライン分の反射光が第１ミラー２２３、第２ミラー２２４、第３ミラー２２５の順に反射して、結像レンズ２２８に入射する。結像レンズ２２８に入射した光はＣＣＤ２２９の
受光面で結像される。続いて原稿は原稿給紙部２１によって搬送され、次のラインが読み取られる。
【００５３】
更に、原稿給紙部２１は、切換ガイド２１６、反転ローラ２１７及び反転搬送路２１８を備えた原稿反転機構を有する。この原稿反転機構が、１回目のＡＤＦ読み取りによって表面が読み取られた原稿を表裏反転させて読取窓２３０に再搬送することで、再度ＣＣＤ２２９によって裏面の読み取りが行われる。
【００５４】
この原稿反転機構は、両面読み取り時にのみ動作し、片面読み取り時は動作しない。片面読み取り時及び両面読み取り時において裏面の読み取り後、切換ガイド２１６は上側に切り替えられ、プラテン２１３を経た原稿は、排紙ローラ２１４によって排紙トレイ２１５に排紙される。
【００５５】
両面読み取り時における表面読み取り後、切換ガイド２１６は下側に切り替えられ、プラテン２１３を経た原稿は反転ローラ２１７によって反転搬送路２１８へ搬送される。その後、切換ガイド２１６は上側へ切り替わり、反転ローラ２１７が逆回転して原稿をプラテン２１３へ再給紙する。以下、原稿反転機構を用いて原稿の両面を読み取らせるモードを両面反転読取モードと表記する。
【００５６】
更に、画像読取部２は、ＡＤＦ読取モード時において、原稿の搬送途中でＣＣＤ２２９によって原稿の表面の読み取りを行わせると略同時に、ＣＩＳ２３１によって原稿の裏面の読み取りを行わせることが可能である。この場合、原稿トレイ２１１から原稿給紙部２１により搬送された原稿は、読取窓２３０上を通過するときにＣＣＤ２２９によって表面が読み取られ、更にＣＩＳ２３１の配置箇所を通過する際に裏面が読み取られる。尚、ＣＩＳ２３１では、光源としてＲＧＢの３色ＬＥＤ等が用いられる。
【００５７】
このようにＣＣＤ２２９とＣＩＳ２３１を用いることで、原稿給紙部２１による原稿トレイ２１１から排紙トレイ２１５までの一回の原稿搬送操作（ワンパス）によって原稿の表裏両面の読み取りが可能となる。以下、このようにＣＣＤ２２９とＣＩＳ２３１を用いて原稿の両面を読み取らせるモードを両面同時読取モードと表記する。
【００５８】
上記の両面反転読取モード及び両面同時読取モードは、ＡＤＦ読取モードを用いて原稿の両面読み取りを行う際の読取モードとして備えられている。両面反転読取モードは、両面の印刷画像の画質を揃えたい場合に利用される一方、両面同時読取モードは、両面の印刷画像の画質に差があっても、読取時間の短縮化を優先させたい場合に利用される。
【００５９】
尚、本実施形態における複合機１は、両面同時読取モードに初期設定されており、読取モードのモード設定操作が何も行われないまま画像形成指示が入力された場合には、両面同時読取モードで原稿の画像読取動作が行われるようになっている。
【００６０】
装置本体３は、複数の給紙カセット４６１と、給紙カセット４６１から記録紙を１枚ずつ繰り出して画像形成部４０へ搬送する給紙ローラ４６２と、給紙カセット４６１から搬送されてきた記録紙に画像を形成する画像形成部４０とを備える。また、装置本体３は、給紙トレイ４７１と該給紙トレイ４７１に載置された原稿を１枚ずつ画像形成部４０に向けて繰り出す繰り出しローラ４７２とを備える。
【００６１】
画像形成部４０は、感光体ドラム４３の表面から残留電荷を除電する除電装置４２１と、除電後の感光体ドラム４３の表面を帯電させる帯電装置４２２と、スキャナ部２２で取得された画像データに基づいてレーザ光を出力して感光体ドラム４３の表面を露光し、当該感光体ドラム４３の表面に静電潜像を形成する露光装置４２３と、前記静電潜像に基づいて感光体ドラム４３上に、シアン（Ｃ）、マゼンタ（Ｍ）、イエロー（Ｙ）及びブラック（Ｋ）の各色のトナー像を形成する現像装置４４Ｋ，４４Ｙ，４４Ｍ，４４Ｃと、感光体ドラム４３に形成された各色のトナー画像が転写されて重ね合わせされる転写ドラム４９と、転写ドラム４９上のトナー像を記録紙に転写させる転写装置４１と、トナー像が転写された記録紙を所定の定着温度で加熱してトナー像を記録紙に定着させる定着装置４５と、画像形成部４０を通過した記録紙をスタックトレイ６又は排出トレイ４８まで搬送する搬送ローラ４６３，４６４と、を備えている。
【００６２】
定着装置４５は、定着ローラ４５１と、加圧ローラ４５２と、温度センサ４５３と、を備えている。
【００６３】
定着ローラ４５１は、例えばハロゲンヒータからなる図略のヒータを内部に備え、当該ヒータによって内部から加熱されるように構成されている。当該ヒータには、後述する制御部６１（図３）の制御の下、交流電源から電力が供給され、当該電力の供給量に応じて定着ローラ４５１の加熱度合いが調整される。
【００６４】
加圧ローラ４５２は、図略の駆動機構によって定着ローラ４５１に向かうように押圧され、これにより、定着ローラ４５１と加圧ローラ４５２の間に、定着ローラ４５１及び加圧ローラ４５２の回転軸に沿って帯状のニップ部が形成される。そして、記録紙が当該ニップ部を通過することによって、記録紙に加熱・加圧処理が施され、記録紙にトナー像が定着（加熱定着）される。
【００６５】
温度センサ４５３は、定着ローラ４５１の温度（定着温度）を測定し、当該測定した定着温度を後述する制御部６１（図３参照）へ出力する。
【００６６】
尚、記録紙の両面に画像を形成する場合は、画像形成部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って画像形成部４０の上流域に再度搬送し、画像形成部４０により他方の面に画像を形成した後、記録紙をスタックトレイ６又は排出トレイ４８に排出する。
【００６７】
また、装置本体３の前方には、ユーザが操作画面や各種メッセージ等を視認することができる表示部５１や、種々の操作命令を入力するための操作ボタンを有するユーザインタフェース部５が備えられている。
【００６８】
図２に示すように、ユーザインタフェース部５は、表示部５１、タッチパネル５２、数字キー群５３、各種操作ボタン５４〜５７、機能選択ボタン５８等を備える。
【００６９】
表示部５１は、ＬＣＤ（Liquid Crystal Display）やＥＬＤ（Electronic Luminescent Display）等によって構成され、紙サイズ選択、倍率選択、濃度選択等のユーザに対する操作案内画面が表示される。この表示部５１は、タッチパネル５２と一体的に形成されている。タッチパネル５２は、ユーザによるタッチ操作がなされたときにそのタッチ位置を検知し、該タッチ位置を示す検知信号を後述する制御部６１（図３参照）へ出力するものである。
【００７０】
数字キー群５３は、例えば、複合機１のコピー機能を動作させる際はコピー枚数を、ファクシミリ機能を動作させる際は送信先の電話番号等を入力するためのものである。節電ボタン５４は、複合機１を節電（低電力）モードにするボタンである。スタートボタン５５はコピー動作やスキャナ動作等を開始させるボタンであり、ストップ／クリアボタン５６はコピー動作やスキャナ動作等の停止、入力操作の取り消しを行うボタンである。リセットボタン５７は表示部５１の表示や各種設定を初期状態又は標準動作状態にするボタンである。機能選択ボタン５８は、コピー機能、プリンタ機能、スキャナ機能、ファクシミリ機能を設定するためのボタンである。
【００７１】
図３は、複合機１の電気的な構成を示すブロック図である。尚、図１、図２に示した各部と同一のものには同一の符号を付し、その説明は省略する。複合機１は、原稿給紙部２１、スキャナ部２２、ＣＩＳ２３１、ユーザインタフェース部５、画像形成部４０、通信部６６、記憶部６７及び制御部６１を備えている。
【００７２】
原稿給紙部２１は、上記のＡＤＦ読取モードで原稿のコピーやスキャンが行われる際に、原稿トレイ２１１に載置された原稿を自動的に取り込んで、ＣＣＤ２２９やＣＩＳ２３１による原稿の読み取りが可能なように搬送する。スキャナ部２２及びＣＩＳ２３１は、図１、図２に示すスキャナ部２２及びＣＩＳ２３１に相当するものである。
【００７３】
ユーザインタフェース部５は、図１に示すユーザインタフェース部５に相当するものであり、使用者がコピー機能、プリンタ機能、ファクシミリ機能及びスキャナ機能等に関する操作を行うために使用され、使用者による操作命令（コマンド）等を制御部６１に与えるものである。
【００７４】
画像形成部４０は、スキャナ部２２又はＣＩＳ２３１によって得られた画像データや、パーソナルコンピュータやファクシミリ装置等から通信部６６を介して転送された画像データに基づいた画像を記録紙に形成するものである。
【００７５】
通信部６６は、図略のネットワークインタフェースを用いて、ネットワークを介して接続されたコンピュータやファクシミリ装置等の外部装置との間で種々のデータの送受信を行うものである。
【００７６】
記憶部６７は、スキャナ部２２及びＣＩＳ２３１の読取動作により得られた画像データや、制御部６１により処理された画像データ等を記憶する記憶部と、ファクシミリ通信を行う時の短縮釦登録の相手先名称やファクシミリ番号、或いは、ネットワークスキャナとして使用される際の送信相手先のＩＰアドレスなどを予め記憶したりする記憶部と、各部の動作制御プログラムを記憶する記憶部と、を有して構成されているものである。
【００７７】
制御部６１は、複合機１全体の動作制御を司るものであり、ＣＰＵ、ＲＡＭ及びＲＯＭ等によって構成される。
【００７８】
制御部６１は、ユーザからユーザインタフェース部５に入力された各種の指示信号等に応じて、図略のＲＯＭ又は記憶部６７に記憶されている動作制御プログラムに基づいた処理を実行し、各機能部（原稿給紙部２１、スキャナ部２２、ＣＩＳ２３１、ユーザインタフェース部５、画像形成部４０及び通信部６６）への指示信号の出力、データ転送等を行って複合機１を統括的に制御する。つまり、ユーザインタフェース部５及び制御部６１により、複合機１に対する操作の指示を受け付ける、本発明の操作指示受付部の一例が構成されている。
【００７９】
また、ユーザインタフェース部５は、スリープ移行時間入力部５６を備え、制御部６１は、温度制御部６１１と、電力供給制御部６１２と、切替制御部６１３としての機能を有している。
【００８０】
温度制御部６１１は、定着装置４５に備えられた温度センサ４５３から出力された定着ローラ４５１の定着温度に応じて定着ローラ４５１の内部のヒータに接続された給電線に設けられたスイッチをオンオフ制御することにより、当該ヒータに対する電力の供給量を調整し、定着ローラ４５１の定着温度の温度制御を行うものである。
【００８１】
電力供給制御部６１２は、複合機１の電力供給モードを切り替えるものであり、切替制御部６１３は、電力供給制御部６１２に電力供給モードの切り替えを指示するものである。
【００８２】
複合機１には、電力供給モードとして、画像形成部４０を含む各部に対して電力を供給する通常電力モードと、定着ローラ４５１の温度を予め設定された定着温度（例えば、１８０〜２００℃）よりも低い温度（例えば、１００℃）に設定する等して、通常電力モードに比して電力の供給量を削減する第１省電力モードと、例えば、定着ローラ４５１の加熱を停止する等、定着ローラ４５１の温度を第１省電力モードに比してさらに低い温度（例えば、５０〜８０℃）に設定して、第１省電力モードに比して電力の供給量を削減する第２省電力モードとが設けられ、さらに、後述するように、第１省電力モードに比して電力の供給量を削減するが第２省電力モードに比して電力の供給量が多い第３省電力モードが設けられている。
【００８３】
電力供給制御部６１２は、図略のＡＣ／ＤＣコンバータ及びＤＣ／ＤＣコンバータを制御して、交流電源から供給される交流電力及び当該交流電力が変換されることにより生成される直流電力の供給量を切替制御部６１３から指示された電力供給モードに対応する予め設定された供給量に調整する。これにより、複合機１は、当該指示された電力供給モードに設定（移行）される。
【００８４】
切替制御部６１３は、複合機１が通常電力モードに設定されている状態で、当該複合機１に対して行われた操作に基づく当該複合機１の動作の実行が終了した時点からの経過時間を計測するタイマ６１３ａを備え、例えば、ユーザインタフェース部５に設けられている節電ボタン５４（図２参照）が押圧操作されると、或いは、ユーザインタフェース部５及び制御部６１によって複合機１に対する操作の指示が受け付けられることがないままタイマ６１３ａによる計測時間が後述する待機時間に達すると、電力供給モードを通常電力モードから第１省電力モード、或いは、第１省電力モードから第２省電力モードに切り替える指示を電力供給制御部６１２に出力する。
【００８５】
また、切替制御部６１３は、複合機１が第１省電力モード或いは第２省電力モードに設定されている状態で、ユーザインタフェース部５及び制御部６１によって複合機１に対する操作の指示が受け付けられると、電力供給モードを第１省電力モード或いは第２省電力モードから通常電力モードに切り替える指示を電力供給制御部６１２に出力する。
【００８６】
スリープ移行時間入力部５６は、複合機１に対する操作の指示が受け付けられないまま経過した時間（待機時間）に応じたタイミングで、切替制御部６１３により、通常電力モードから第１省電力モード、或いは、第１省電力モードから第２省電力モードに切り替える指示が電力供給制御部６１２に出力されるようにすべく、当該待機時間を設定する入力を行うものである。
【００８７】
スリープ移行時間入力部５６は、表示部５１、タッチパネル５２及び数字キー群５３により構成されている。例えば、図２に示すように、複合機１に対する操作の指示が何ら受け付けられないまま待機時間Ｔ１（例えば、６０秒）が経過した場合に、切替制御部６１３によって電力供給モードが通常電力モードから第１省電力モードに切り替えられ、複合機１に対する操作の指示が何ら受け付けられないまま待機時間Ｔ２（例えば、３００秒）が経過した場合に、切替制御部６１３によって電力供給モードが第１省電力モードから第２省電力モードに切り替えられるようにすべく、制御部６１は、スリープ移行時間入力部５６としての待機時間Ｔ１，Ｔ２の設定画面を表示部５１に表示する。
【００８８】
当該待機時間Ｔ１，Ｔ２の設定画面には、待機時間Ｔ１，Ｔ２についてのデフォルト値（矢印Ａ）と、変更後の待機時間（矢印Ｂ）と、が表示される。そして、矢印Ｂで示す表示領域をタッチすることにより図略のカーソルを当該表示領域内で表示させた状態で、数字キー群５３により所望の待機時間Ｔ１，Ｔ２を数値で入力することにより、待機時間Ｔ１，Ｔ２がその時間に変更される。
【００８９】
尚、待機時間Ｔ１，Ｔ２についてのデフォルト値（矢印Ａ）は、製品出荷時に記憶部６７や制御部６１に備えられたＲＯＭ等に予め記憶されており、当該設定画面で変更された待機時間Ｔ１，Ｔ２は、制御部６１によって記憶部６７や制御部６１に備えられたＲＡＭ等に記憶される。
【００９０】
切替制御部６１３は、待機時間Ｔ１，Ｔ２が変更されていない場合には、待機時間のデフォルト値に基づいて、電力供給モードの切り替え指示を電力供給制御部６１２に出力し、待機時間Ｔ１，Ｔ２が変更された場合には、その変更後の待機時間Ｔ１，Ｔ２に基づいて電力供給モードの切り替え指示を電力供給制御部６１２に出力する。
【００９１】
切替制御部６１３は、さらに、電力供給制御部６１２に通常電力モードへの切り替えを指示した場合における、第２省電力モードから通常電力モードへの切り替えを指示した確率が高いことを示す条件を満たす場合に、通常電力モードから第１省電力モードへの切り替えに換えて、通常電力モードから上記の第３省電力モードへの切り替えを電力供給制御部６１２に指示する。
【００９２】
上記の第２省電力モードから通常電力モードへの切り替えを指示した確率が高いことを示す条件としては、例えば、連続して予め設定された回数以上、切替制御部６１３が電力供給制御部６１２に第２省電力モードから通常電力モードへの切り替えを指示したかが設定される（尚、以下では当該条件を「第１所定条件」と記す）。
【００９３】
尚、予め設定された回数は、製品出荷時に記憶部６７や制御部６１に備えられたＲＯＭ等に予め記憶されている。また、これに限らず、予め設定された回数は、上記の待機時間Ｔ１，Ｔ２と同様にして、ユーザインタフェース部５及び制御部６１によって当該予め設定された回数の設定画面を表示部５１に表示するように構成し、当該設定画面に入力された回数を記憶部６７や制御部６１に備えられたＲＡＭ等に記憶するようにして構成してもよい。
【００９４】
切替制御部６１３は、例えば第１所定条件等、上記の第２省電力モードから通常電力モードへの切り替えを指示した確率が高いことを示す条件を満たす場合に、図４に示すように、通常電力モードから第１省電力モードへの切り替え（図中の点線部）に換えて、通常電力モードから第３省電力モードへの切り替え（図中の実線部）を電力供給制御部６１２に指示する。
【００９５】
ここで、電力供給制御部６１２は、図４に示すように、ユーザインタフェース部５及び制御部６１によって複合機１に対する操作の指示が受け付けられないままタイマ６１３ａによる計測時間が通常電力モードから第１省電力モードへの切り替えを指示する場合における予め設定された待機時間Ｔ１経過した時点で、上記の第２省電力モードから通常電力モードへの切り替えを指示した確率が高いことを示す条件を満たしたことにより、切替制御部６１３から第３省電力モードへの切り替えを指示されると、ユーザインタフェース部５及び制御部６１によって複合機１に対する操作の指示が受け付けられないままタイマ６１３ａによる計測時間が第１省電力モードから第２省電力モードへの切り替えを指示する場合における予め設定された待機時間Ｔ２に達するまでの全ての期間（図中のＴ１からＴ２までの期間）、第１省電力モードにおける電力の供給量Ｐ１未満であって第２省電力モードにおける電力の供給量Ｐ２よりも多い予め設定された一定の供給量Ｐ３で複合機１の各部に対して電力を供給する。
【００９６】
以下では、電力供給モードの切り替え制御の動作について、図５を用いて説明する。
【００９７】
複合機１に電源が投入されると、切替制御部６１３は、通常電力モードに切り替える指示を電力供給制御部６１２に出力し、電力供給制御部６１２は、当該指示に応じて電力供給モードを通常電力モードに設定する（Ｓ１）。
【００９８】
ステップＳ１により、複合機１が通常電力モードに設定されている状態で、上記の複合機１に対して行われた操作に基づく複合機１の動作の実行が終了した時点で、タイマ６１３ａは、時間の計測動作を開始する（Ｓ２、時間計測ステップ）。
【００９９】
例えば、画像形成動作に関わる操作が、ユーザインタフェース部５及び制御部６１を介して受け付けられると、当該操作によって受け付けられた画像形成動作が終了して、記録紙をスタックトレイ６又は排出トレイ４８に排出した時点で、タイマ６１３ａは時間の計測動作を開始する。
【０１００】
切替制御部６１３は、タイマ６１３ａによる計測時間が待機時間Ｔ１に達する（Ｓ４；ＹＥＳ）までに、ユーザインタフェース部５及び制御部６１を介して複合機１に対する操作の指示が受け付けられると（Ｓ３；ＹＥＳ）、ステップＳ１の処理を実行する。
【０１０１】
一方、切替制御部６１３は、ユーザインタフェース部５及び制御部６１を介して複合機１に対する操作の指示が受け付けられないまま（Ｓ３；ＮＯ）、タイマ６１３ａによる計測時間が待機時間Ｔ１に達すると（Ｓ４；ＹＥＳ）、複合機１が第２省電力モードから通常電力モードへ連続して切り替えられた回数を示す連続復帰回数Ｃが、上記の予め設定された回数以上の値に設定されているか否かを判断する（Ｓ５）。尚、連続復帰回数Ｃは、図５に示す各処理ステップにおいて、ＲＡＭを介して読み書きされる。
【０１０２】
ここで、切替制御部６１３は、連続復帰回数Ｃが上記の予め設定された回数以上の値に設定されていると判断した場合は（Ｓ５；ＹＥＳ）、通常電力モードから第３省電力モードへの切り替えを電力供給制御部６１２に指示し、電力供給制御部６１２は、当該指示に応じて、図４に示すように、第１省電力モードにおける電力の供給量Ｐ１未満であって第２省電力モードにおける電力の供給量Ｐ２よりも多い予め設定された一定の供給量Ｐ３で複合機１の各部に対して電力を供給する。これにより、複合機１は、第３省電力モードに設定（移行）される（Ｓ６）。
【０１０３】
一方、切替制御部６１３は、連続復帰回数Ｃが上記の予め設定された回数以上の値に設定されていないと判断した場合は（Ｓ５；ＮＯ）、通常電力モードから第１省電力モードへの切り替えを電力供給制御部６１２に指示する（Ｓ７）。
【０１０４】
続いて、切替制御部６１３は、タイマ６１３ａによる計測時間が待機時間Ｔ２に達する（Ｓ１０；ＹＥＳ）までに、ユーザインタフェース部５及び制御部６１を介して複合機１に対する操作の指示が受け付けられると（Ｓ８；ＹＥＳ）、複合機１を第１省電力モード或いは第３省電力モードから通常電力モードに移行させるべく、連続復帰回数Ｃをクリアして（Ｓ９）、ステップＳ１の処理に戻る。
【０１０５】
尚、ステップＳ９において切替制御部６１３が連続復帰回数Ｃをクリアする方法は、特に具体的な方法に限定する趣旨ではなく、例えば、切替制御部６１３がＲＡＭに書き込まれた連続復帰回数Ｃを消去する、或いは、切替制御部６１３が連続復帰回数Ｃを記憶するためのＲＡＭの予め設定されたアドレス領域に、連続復帰回数Ｃをクリアしたことを示す固定値（例えば、０）を記憶する等、適宜設計事項として構成してよい。
【０１０６】
一方、切替制御部６１３は、ユーザインタフェース部５及び制御部６１を介して複合機１に対する操作の指示が受け付けられないまま（Ｓ８；ＮＯ）、タイマ６１３ａによる計測時間が待機時間Ｔ２に達すると（Ｓ１０；ＹＥＳ）、第１省電力モード或いは第３省電力モードから第２省電力モードに切り替える指示を電力供給制御部６１２に出力し、電力供給制御部６１２は、当該指示に応じて電力供給モードを第２省電力モードに切り替える（Ｓ１１）。
【０１０７】
このようにして、切替制御部６１３は、ユーザインタフェース部５及び制御部６１を介して複合機１に対する操作の指示が受け付けられるまで複合機１を第２省電力モードに設定したまま維持する（Ｓ１２；ＮＯ）。一方、切替制御部６１３は、複合機１が第２省電力モードに設定されている状態で、ユーザインタフェース部５及び制御部６１を介して複合機１に対する操作の指示が受け付けられると（Ｓ１２；ＹＥＳ）、連続復帰回数Ｃを１累積加算し（インクリメント）して（Ｓ１３）、ステップＳ１の処理に戻る。
【０１０８】
即ち、ステップＳ１及びステップＳ３〜Ｓ１３の処理により、本発明に係る切替制御ステップの一例が構成されている。
【０１０９】
つまり、上記の構成によれば、切替制御部６１３（切替制御ステップ）により、連続して予め設定された回数以上、複合機１が第２省電力モードから通常電力モードへ切り替えられていることによって、複合機１の最近の使用状況が第２省電力モードに設定された後に利用される傾向にあることが判断される。
【０１１０】
そして、このような判断がされた場合は、予め設定された待機時間Ｔ２に達するまでの期間（図４におけるＴ１からＴ２までの期間）、複合機１を第１省電力モードに設定しておく必要性が低いと考えられるので、切替制御部６１３（切替制御ステップ）により、複合機１を第３省電力モードへ切り替える指示がなされる。
【０１１１】
そして、複合機１が第３省電力モードに切り替えられると、第１省電力モードにおける電力の供給量（図４におけるＰ１）未満であって第２省電力モードにおける電力の供給量（図４におけるＰ２）よりも多い予め設定された一定の供給量（図４におけるＰ３）で複合機１の各部に対して電力が供給されるので、当該全ての期間（図４におけるＴ１からＴ２までの期間）複合機１が第１省電力モードに切り替えられる場合に比して、複合機の各部に対して供給される電力を図４における斜線矩形領域に相当する供給量分だけ削減することができる。
【０１１２】
尚、切替制御部６１３が電力供給制御部６１２に通常電力モードへの切り替えを指示した場合における、上記の第２省電力モードから通常電力モードへの切り替えを指示した確率が高いことを示す条件は、上記の実施形態に記載した条件に限定する趣旨ではない。
【０１１３】
例えば、上記の第２省電力モードから通常電力モードへの切り替えを指示した確率が高いことを示す条件として、切替制御部６１３が電力供給制御部６１２に第２省電力モードから通常電力モードへの切り替えを指示した累計頻度が、切替制御部６１３が電力供給制御部６１２に第１省電力モード或いは第３省電力モードから通常電力モードへの切り替えを指示した累計頻度よりも高いかが設定されてもよい（尚、以下では当該条件を、「第２所定条件」と記す）。
【０１１４】
本構成は、図５におけるステップＳ５、ステップＳ９、及びステップＳ１３を、図６に示すように、それぞれ後述するステップＳ２１、ステップＳ２２、及びステップＳ２３に変更することによって実現することができる。
【０１１５】
具体的には、本構成は、切替制御部６１３が、第１省電力モード或いは第３省電力モードから通常電力モードへの切り替えを電力供給制御部６１２に指示した場合に（Ｓ８；ＹＥＳ）、第１省電力モード或いは第３省電力モードから通常電力モードへの切り替えを指示した累計頻度を示す第１復帰回数Ｃ１を１インクリメントし（Ｓ２２）、同様に、第２省電力モードから通常電力モードへの切り替えを電力供給制御部６１２に指示した場合に（Ｓ１２；ＹＥＳ）、第２省電力モードから通常電力モードへの切り替えを指示した累計頻度を示す第２復帰回数Ｃ２を１インクリメントする（Ｓ２３）ように構成して実現することができる。
【０１１６】
また、これに合わせて、本構成は、切替制御部６１３が、ユーザインタフェース部５及び制御部６１を介して複合機１に対する操作の指示が受け付けられないまま（Ｓ３；ＮＯ）、タイマ６１３ａによる計測時間が待機時間Ｔ１に達すると（Ｓ４；ＹＥＳ）、第２復帰回数Ｃ２が第１復帰回数Ｃ１以上であるか否かを判断して（Ｓ２１）、第２復帰回数Ｃ２が第１復帰回数Ｃ１以上である場合は（Ｓ２１；ＹＥＳ）、電力供給制御部６１２に第３省電力モードへの切り替えを指示し（Ｓ６）、第２復帰回数Ｃ２が第１復帰回数Ｃ１未満である場合は（Ｓ２１；ＮＯ）、電力供給制御部６１２に第１省電力モードへの切り替えを指示する（Ｓ７）ように構成して実現することができる。尚、第１復帰回数Ｃ１及び第２復帰回数Ｃ２は、図６に示す各処理ステップにおいて、ＲＡＭを介して読み書きされる。
【０１１７】
本構成によれば、電力供給制御部６１２に第２省電力モードから通常電力モードへの切り替えが指示された累計頻度が、電力供給制御部６１２に第１省電力モード或いは第３省電力モードから通常電力モードへの切り替えが指示された累計頻度よりも高い場合に、切替制御部６１３により、通常電力モードから第１省電力モードへの切り替えに換えて、通常電力モードから第３省電力モードへ切り替えるように制御される。
【０１１８】
つまり、過去に複合機１を利用した際の累計頻度に基づいて、第２省電力モードから通常電力モードへの切り替えが指示された累計頻度が第１省電力モード或いは第３省電力モードから通常電力モードへの切り替えが指示された累計頻度よりも高いことにより、複合機１が第２省電力モードに設定された後に利用される傾向にあることを判断することができる。
【０１１９】
さらに、上記の第２省電力モードから通常電力モードへの切り替えを指示した確率が高いことを示す条件として、切替制御部６１３が電力供給制御部６１２に第２省電力モードから通常電力モードへの切り替えを指示した場合における複合機１が第２省電力モードに切り替えられた時点から通常電力モードに切り替えられるまでの経過時間の平均値が、切替制御部６１３が電力供給制御部６１２に第１省電力モード或いは第３省電力モードから通常電力モードへの切り替えを指示した場合における複合機１が第１省電力モード或いは第３省電力モードに切り替えられた時点から通常電力モードに切り替えられるまでの経過時間の平均値よりも大きいかが設定されてもよい（尚、以下では当該条件を、「第３所定条件」と記す）。
【０１２０】
本構成は、図５におけるステップＳ５、ステップＳ９、及びステップＳ１３を、図７に示すように、それぞれ後述するステップＳ３１、ステップＳ３２、及びステップＳ３３に変更することによって実現することができる。
【０１２１】
具体的には、本構成は、切替制御部６１３が、第１省電力モード或いは第３省電力モードから通常電力モードへの切り替えを電力供給制御部６１２に指示した場合に（Ｓ８；ＹＥＳ）、第１省電力モード或いは第３省電力モードに切り替えられた時点から通常電力モードに切り替えられるまでの経過時間の平均値を示す第１平均復帰時間Ｒ１を算出し（Ｓ３２）、第２省電力モードから通常電力モードへの切り替えを電力供給制御部６１２に指示した場合に（Ｓ１２；ＹＥＳ）、第２省電力モードに切り替えられた時点から通常電力モードに切り替えられるまでの経過時間の平均値を示す第２平均復帰時間Ｒ２を算出する（Ｓ３３）ように構成して実現することができる。
【０１２２】
尚、第１平均復帰時間Ｒ１及び第２平均復帰時間Ｒ２は、図７に示す各処理ステップにおいて、ＲＡＭを介して読み書きされる。また、第１平均復帰時間Ｒ１及び第２平均復帰時間Ｒ２は、例えば、ステップＳ８及びステップＳ１２において、切替制御部６１３が、ユーザインタフェース部５及び制御部６１を介して複合機１に対する操作の指示が受け付けられた時点でタイマ６１３ａによって計測された計測時間をそれぞれのステップ毎に累積加算して、それぞれのステップにおける当該累積加算が実行された累計頻度と対応づけてＲＡＭに書き込むように構成し、当該ＲＡＭに書き込まれた計測時間の累積加算結果を、これに対応する累計頻度で除算することによって算出することができる。ただし、第１平均復帰時間Ｒ１及び第２平均復帰時間Ｒ２の算出方法を当該方法に限定する趣旨ではない。
【０１２３】
また、これに合わせて、本構成は、切替制御部６１３が、ユーザインタフェース部５及び制御部６１を介して複合機１に対する操作の指示が受け付けられないまま（Ｓ３；ＮＯ）、タイマ６１３ａによる計測時間が待機時間Ｔ１に達すると（Ｓ４；ＹＥＳ）、第２平均復帰時間Ｒ２が第１平均復帰時間Ｒ１以上であるか否かを判断して（Ｓ３１）、第２平均復帰時間Ｒ２が第１平均復帰時間Ｒ１以上である場合は（Ｓ３１；ＹＥＳ）、電力供給制御部６１２に第３省電力モードへの切り替えを指示し（Ｓ６）、第２平均復帰時間Ｒ２が第１平均復帰時間Ｒ１未満である場合は（Ｓ３１；ＮＯ）、電力供給制御部６１２に第１省電力モードへの切り替えを指示する（Ｓ７）ように構成して実現することができる。
【０１２４】
本構成によれば、複合機１が第２省電力モードに切り替えられた時点から通常電力モードに切り替えられるまでの経過時間の平均値が、複合機１が第１省電力モード或いは第３省電力モードに切り替えられた時点から通常電力モードに切り替えられるまでの経過時間の平均値よりも大きい場合に、切替制御部６１３により、通常電力モードから第１省電力モードへの切り替えに換えて、通常電力モードから第３省電力モードへ切り替えるように制御される。
【０１２５】
つまり、過去に複合機１を利用した際の第１省電力モード、第２省電力モード、及び第３省電力モードに切り替えられた時点から通常電力モードに切り替えられるまでの経過時間の平均値に基づいて、複合機１が第２省電力モードに設定されていた期間の平均値が、複合機１が第１省電力モード或いは第３省電力モードに設定されていた期間の平均値よりも長いことにより、複合機１が第２省電力モードに設定された後に利用される傾向にあることを判断することができる。
【０１２６】
尚、切替制御部６１３から電力供給制御部６１２に第３省電力モードへの切り替えが指示された場合に、電力供給制御部６１２が第１省電力モードに比して電力の供給量を削減するが第２省電力モードに比して電力の供給量が多い電力供給モードに切り替える態様は、上記の実施形態に記載した態様に限定する趣旨ではない。
【０１２７】
例えば、図８に示すように、電力供給制御部６１２は、切替制御部６１３から第３省電力モードへの切り替えを指示されると、ユーザインタフェース部５及び制御部６１を介して複合機１に対する操作の指示が受け付けられないままタイマ６１３ａによる計測時間が第１省電力モードから第２省電力モードへの切り替えを指示する場合における予め設定された待機時間Ｔ２に達するまでの全ての期間（図中のＴ１からＴ２までの期間）のうち、前半の期間（図中のＴ１からＴ３までの期間）を第１省電力モードにおける電力の供給量Ｐ１と等しい供給量で、且つ、後半の期間（図中のＴ３からＴ２までの期間）を第２省電力モードにおける電力の供給量Ｐ２と等しい供給量で、複合機１の各部に対して電力を供給するように構成してもよい。
【０１２８】
尚、当該全ての期間を前半の期間と後半の期間とに分割する閾値となる時間Ｔ３は、製品出荷時に記憶部６７や制御部６１に備えられたＲＯＭ等にデフォルト値として予め記憶されている。また、これに限らず、当該時間Ｔ３は、ユーザインタフェース部５及び制御部６１によって当該時間Ｔ３の設定画面を表示部５１に表示するように構成し、当該設定画面に入力された時間Ｔ３を記憶部６７や制御部６１に備えられたＲＡＭ等に記憶するようにして構成してもよい。
【０１２９】
この場合、複合機１が第３省電力モードに切り替えられると、ユーザインタフェース部５及び制御部６１を介して複合機１に対する操作の指示が受け付けられないままタイマ６１３ａによる計測時間が第１省電力モードから第２省電力モードへの切り替えを指示する場合における予め設定された待機時間Ｔ２に達するまでの全ての期間（図８におけるＴ１からＴ２までの期間）第１省電力モードに切り替えられる場合に比して、複合機１の各部に対して供給される電力を図８における斜線領域に相当する供給量分だけ削減することができる。
【０１３０】
或いは、例えば、図９に示すように、電力供給制御部６１２は、切替制御部６１３から第３省電力モードへの切り替えを指示されると、ユーザインタフェース部５及び制御部６１を介して複合機１に対する操作の指示が受け付けられないままタイマ６１３ａによる計測時間が第１省電力モードから第２省電力モードへの切り替えを指示する場合における待機時間Ｔ２に達するまでの期間（図中のＴ１からＴ２までの期間）を、例えば、図中のＴ１からＴ３１までの期間とＴ３１からＴ３２までの期間とＴ３２からＴ３３までの期間とＴ３３からＴ２までの期間の４つの期間に分割する等、予め定められた数の期間に分割して、当該分割した期間が経過する毎に減少するように予め設定された、第１省電力モードにおける電力の供給量Ｐ１以下であって第２省電力モードにおける電力の供給量Ｐ２以上である供給量Ｐ１，Ｐ３１，Ｐ３２，Ｐ２で、複合機１の各部に対して電力を供給するように構成してもよい。
【０１３１】
これらの場合、複合機１が第３省電力モードに切り替えられると、ユーザインタフェース部５及び制御部６１を介して複合機１に対する操作の指示が受け付けられないままタイマ６１３ａによる計測時間が第１省電力モードから第２省電力モードへの切り替えを指示する場合における予め設定された待機時間Ｔ２に達するまでの全ての期間（図９におけるＴ１からＴ２までの期間）第１省電力モードに切り替えられる場合に比して、図９における斜線領域に相当する供給量分だけ、複合機１の各部に対して供給される電力を時間の経過に応じて段階的に削減することができる。
【０１３２】
また、上記の実施形態において、切替制御部６１３は、複合機１が第２省電力モードに設定されている状態でユーザインタフェース部５及び制御部６１を介して複合機１に対する操作の指示が受け付けられると、第２省電力モードから通常電力モードへの切り替えを電力供給制御部６１２に指示するように構成されていた。このため、複合機１が第２省電力モードに設定されている状態で、例えば、複合機１の近辺を通りすぎる際に複合機１に衝突して何らかの操作をしてしまった場合等、複合機１が誤って操作されたとしても、複合機１は通常電力モードに切り替えられ、待機時間Ｔ１が経過するまで通常電力モードによって各部に電力が供給されてしまう。
【０１３３】
そこで、切替制御部６１３は、上記の実施形態における構成に限らず、複合機１が第２省電力モードに設定されている状態で、ユーザインタフェース部５及び制御部６１を介して複合機１に対する操作の指示が受け付けられると、電力供給制御部６１２に、第２省電力モードから通常電力モードへの切り替えに換えて第２省電力モードから第１消電力モードへの切り換えを指示するように構成し、これに合わせて、タイマ６１３ａは、当該切替制御部６１３による当該指示により複合機１が第１消電力モードに設定された時点で時間の計測動作を開始するように構成し、さらに、切替制御部６１３は、当該指示により複合機１が第１省電力モードに設定されている状態で、ユーザインタフェース部５及び制御部６１を介して複合機１に対する操作の指示が受け付けられることがないままタイマ６１３ａによる計測時間が予め設定された待機時間（例えば、図４、図８、及び図９においてＴ２−Ｔ１に相当する時間）に達すると、電力供給制御部６１２に第２省電力モードへの切り替えを指示し、ユーザインタフェース部５及び制御部６１を介して、複合機１に対する操作の指示が受け付けられると、電力供給制御部６１２に通常電力モードへの切り替えを指示するように構成してもよい。
【０１３４】
本構成によれば、複合機１が第２省電力モードに設定されている状態で、複合機１が誤って操作されたとしても、複合機１は第１省電力モードに切り替えられ、待機時間Ｔ１が経過するまで第１省電力モードによって各部に電力が供給されるので、上記のように複合機１が誤って操作された場合に通常電力モードに切り替えられる場合に比して、電力の供給量を削減することができる。
【０１３５】
また、上記実施形態における待機時間Ｔ１，Ｔ２や上記の第２省電力モードから前記通常電力モードへの切り替えを指示した確率が高いことを示す条件は、予め設定された時間帯毎に設定してもよい。
【０１３６】
本構成によれば、例えば、複合機１を利用する機会が少ないと考えられる深夜や早朝の時間帯においては、待機時間Ｔ１，Ｔ２を短めに設定し、また、上記の第２省電力モードから通常電力モードへの切り替えを指示した確率が高いことを示す条件を第２所定条件或いは第３所定条件に設定し、過去の当該時間帯における複合機１の利用状況に基づいて第２省電力モードへ移行させやすくして、電力の供給量を削減することができる。或いは、複合機１を利用する機会が多いと考えられる昼間の時間帯においては、待機時間Ｔ１，Ｔ２を長めに設定し、また、上記の第２省電力モードから通常電力モードへの切り替えを指示した確率が高いことを示す条件を第１所定条件に設定し、複合機１の最近の使用状況に基づいて第２省電力モードへ移行させにくくして、例えば、定着ローラ４５１の温度を所定の定着温度に即座に加熱できるようにする等、通常電力モードへの移行にかかる時間を削減することができる。つまり、時間帯毎の複合機１の使用状況に応じて柔軟に電力の供給量を削減することができる。
【０１３７】
尚、上記実施形態においては、電気機器の一例として複合機を例に説明したが、これに限らず、プリンタ、コピー機、スキャナ、或いはＦＡＸ等の画像形成装置や、パーソナルコンピュータ等、その他の電気機器であってもよい。
【０１３８】
尚、上記実施形態において図１乃至図９に示した構成及び設定は単なる一例に過ぎず、本発明を当該実施形態に限定する趣旨ではない。
【符号の説明】
【０１３９】
１  複合機（電気機器）
５  ユーザインタフェース部（操作指示受付部）
６１  制御部（操作指示受付部）
６１２  電力供給制御部
６１３  切替制御部
６１３ａ  タイマ（時間計測部）
Ｃ  連続復帰回数（第２省電力モードから通常電力モードへ連続して切り替えられた回数）
Ｃ１  第１復帰回数（第１省電力モード或いは第３省電力モードから通常電力モードへの切り替えを指示した累計頻度）
Ｃ２  第２復帰回数（第２省電力モードから通常電力モードへの切り替えを指示した累計頻度）
Ｐ１  電力供給量（第１省電力モード）
Ｐ２  電力供給量（第２省電力モード）
Ｒ１  第１平均復帰時間（第１省電力モード或いは第３省電力モードに切り替えられた時点から通常電力モードに切り替えられるまでの経過時間の平均値）
Ｒ２  第２平均復帰時間（第２省電力モードに切り替えられた時点から通常電力モードに切り替えられるまでの経過時間の平均値）
Ｓ１，Ｓ３〜Ｓ１８  切替制御ステップ
Ｓ２  時間計測ステップ
Ｔ１、Ｔ２  待機時間
【図１】
0005422512.tif 000002
【図２】
0005422512.tif 000003
【図３】
0005422512.tif 000004
【図４】
0005422512.tif 000005
【図５】
0005422512.tif 000006
【図６】
0005422512.tif 000007
【図７】
0005422512.tif 000008
【図８】
0005422512.tif 000009
【図９】
0005422512.tif 000010